(57)【要約】【課題】積層体とエンドプレートとの接合強度の低下を抑えることのできる回転電機のロータコアを提供する。【解決手段】ロータコア１１は、複数枚の金属板２２Ａが積層された積層体２２を有する。積層体２２は回転軸Ｌ１方向に貫通する挿入孔２３を複数有している。挿入孔２３の内部には永久磁石２４が収容された状態で固定されている。ロータコア１１は、金属板２２Ａと異なる金属材料からなるエンドプレート２６を有している。溶接部分２７においてエンドプレート２６の外周端と金属板２２Ａの外周端とを溶接固定することによって、エンドプレート２６は、挿入孔２３の開口を塞ぐ態様で、積層体２２における回転軸Ｌ１方向の端部に設けられている。エンドプレート２６の外縁には貫通孔３０が設けられている。【選択図】図１
2020114039.tif 000002
【特許請求の範囲】
【請求項１】
複数枚の円環板状の金属板が積層されてなるとともに、前記金属板の回転軸方向に貫通する挿入孔が前記金属板の周囲方向に間隔を置いて複数設けられてなる積層体と、
前記挿入孔の内部に収容された状態で固定された永久磁石と、
前記金属板と異なる金属材料からなる円環板状をなすとともに、該円環板状における外周端と前記金属板の外周端との溶接固定によって、前記積層体における前記回転軸方向の端部に前記挿入孔の開口を塞ぐ態様で設けられてなるエンドプレートと、
を有する回転電機のロータコアにおいて、
前記積層体における最外層の金属板および同金属板に隣接する前記エンドプレートの少なくとも一方の外縁には貫通孔が設けられている
ことを特徴とする回転電機のロータコア。
【請求項２】
前記貫通孔は、前記溶接固定された溶接部分の前記回転軸側に配置されている
請求項１に記載の回転電機のロータコア。
【請求項３】
前記貫通孔は、帯状をなすブリッジ部を前記溶接固定された溶接部分に隣り合う隣接部分に形成する態様で設けられている
請求項１または２に記載の回転電機のロータコア。
【請求項４】
前記ブリッジ部は、前記外縁の端部をなす態様で同外縁に沿って延びており、前記溶接部分に近い部位が同溶接部分から遠い部位と比較して幅広の形状をなしている
請求項３に記載の回転電機のロータコア。
【請求項５】
前記貫通孔は、前記最外層の金属板に設けられておらず、前記エンドプレートに設けられている
請求項１〜４のいずれか一項に記載の回転電機のロータコア。
【発明の詳細な説明】
【技術分野】
【０００１】
本発明は、回転電機のロータコアに関するものである。
【背景技術】
【０００２】
磁石埋込型の回転電機のロータコアが知られている（特許文献１参照）。このロータコアは、複数枚の円環板状の金属板が積層された構造の積層体を有している。積層体は、ロータコアの周囲方向に間隔を置いて設けられた複数の挿入孔を有している。各挿入孔には、それぞれ永久磁石が挿入されて固定されている。
【０００３】
また、上記ロータコアは、円環板状の金属板からなるエンドプレートを有している。エンドプレートは、積層体の各挿入孔の開口を塞ぐように、積層体の積層方向における両端に設けられている。特許文献１のロータコアでは、積層体の金属板とエンドプレートとがそれらの外周端同士を溶接することによって接合（固定）されている。
【０００４】
さらに、特許文献２に記載のロータコアでは、積層体を構成する金属板（例えば電磁鋼板）とエンドプレート（例えばアルミニウム板）とが線膨張係数の異なる材料によって形成されている。
【先行技術文献】
【特許文献】
【０００５】
【特許文献１】特開２００７−２３６０１９号公報
【特許文献２】特開２００８−１９９６９８号公報
【発明の概要】
【発明が解決しようとする課題】
【０００６】
積層体を構成する金属板とエンドプレートとが線膨張係数の異なる材料によって構成されるロータコアでは、それら積層体およびエンドプレートを溶接加工によって接合するようにすると、次のような不都合が発生するおそれがある。すなわち、回転電機の運転に伴ってロータコアの温度が高くなったときに、積層体の熱膨張量とエンドプレートの熱膨張量とに差が生じるため、その差に起因して積層体とエンドプレートとの溶接部分に内部応力が発生してしまう。そして、この内部応力によって溶接部分の接合強度の低下を招くおそれがある。
【０００７】
本発明は、そうした実情に鑑みてなされたものであり、その目的は、積層体とエンドプレートとの接合強度の低下を抑えることのできる回転電機のロータコアを提供することにある。
【課題を解決するための手段】
【０００８】
上記課題を解決するための回転電機のロータコアは、複数枚の円環板状の金属板が積層されてなるとともに、前記金属板の回転軸方向に貫通する挿入孔が前記金属板の周囲方向に間隔を置いて複数設けられてなる積層体と、前記挿入孔の内部に収容された状態で固定された永久磁石と、前記金属板と異なる金属材料からなる円環板状をなすとともに、該円環板状における外周端と前記金属板の外周端との溶接固定によって、前記積層体における前記回転軸方向の端部に前記挿入孔の開口を塞ぐ態様で設けられてなるエンドプレートと、を有する回転電機のロータコアにおいて、前記積層体における最外層の金属板および同金属板に隣接する前記エンドプレートの少なくとも一方の外縁には貫通孔が設けられている。
【０００９】
上記構成によれば、積層体の最外層をなす金属板や同金属板に隣接するエンドプレートの外縁、すなわち金属板やエンドプレートにおける溶接部分に近い部分に貫通孔を形成して、同溶接部分に近い部分の剛性を低くすることができる。そのため、回転電機の運転に伴ってロータコアの温度が上昇したときには、積層体とエンドプレートとの熱膨張量の差によってそれら積層体およびエンドプレートの溶接部分に内部応力が発生するおそれがあるとはいえ、同溶接部分に近い部分を変形させることができる。これにより、積層体およびエンドプレートの溶接部分において発生する内部応力を小さくすることができるため、それら積層体およびエンドプレートの接合強度の低下を抑えることができる。
【発明の効果】
【００１０】
本発明によれば、積層体とエンドプレートとの接合強度の低下を抑えることができる。
【図面の簡単な説明】
【００１１】
【図１】一実施形態の回転電機のロータコアが適用されるロータの側面図。
【図２】同ロータの図１の２−２線に沿った断面図。
【図３】ロータコアの側面図。
【図４】エンドプレートの側面図。
【図５】ロータコアの溶接部分およびその周辺を拡大して示す側面図。
【図６】他の実施形態のロータコアの溶接部分およびその周辺を拡大して示す側面図。
【発明を実施するための形態】
【００１２】
以下、回転電機のロータコアを電動機のロータコアに具体化した一実施形態について、図１〜図５を参照して説明する。
先ず、本実施形態のロータコアが適用されるロータの全体構成について説明する。
【００１３】
図１および図２に示すように、ロータ１０は、円筒状のロータコア１１と、同ロータコア１１の中心孔２１（図２）に挿通された状態で固定されるロータシャフト１２とを備えている。
【００１４】
ロータコア１１は、複数枚の円環板状の金属板２２Ａが積層された構造の積層体２２を有している。各金属板２２Ａは、磁性材料からなる電磁鋼板によって形成されている。積層体２２には、ロータコア１１の回転軸Ｌ１方向（図２の左右方向）に貫通する挿入孔２３が、同積層体２２の周囲方向に間隔を置いて複数設けられている。詳しくは、積層体２２には、周囲方向において互いに隣り合う都合十対の挿入孔２３が形成されている。対をなす２つの挿入孔２３は、それぞれが長尺状の断面形状をなすとともに、互いに近接するほど外周側に位置する態様で延びている。
【００１５】
各挿入孔２３の内部には永久磁石２４が挿入されて収容されている。永久磁石２４は、挿入孔２３の断面長手方向において長い矩形状の断面形状をなしている。永久磁石２４は、熱硬化性のエポキシ樹脂からなる充填材２５を介して積層体２２（詳しくは、挿入孔２３の内面）に固定されている。なお、一般には、図１中において二点鎖線で囲まれた２つの挿入孔２３、すなわち互いに近接するほど内周側に位置する２つの挿入孔２３に挿入して固定される一対の永久磁石２４によって、電動機の各磁極が構成される。
【００１６】
ロータコア１１は、円環板状をなす一対のエンドプレート２６を有している。エンドプレート２６は、金属板２２Ａと異なる金属材料（具体的には、非磁性材料であるステンレス鋼板）によって形成されている。各エンドプレート２６は、積層体２２における上記回転軸Ｌ１方向の両端に、各挿入孔２３の開口を塞ぐ態様で設けられている。ロータコア１１は、複数枚の金属板２２Ａと一対のエンドプレート２６とが積層された構造をなしており、積層方向における最外層を各エンドプレート２６が構成している。
【００１７】
ロータコア１１では、エンドプレート２６の外周端と金属板２２Ａの外周端とを溶接加工を通じて接合することによって、エンドプレート２６が積層体２２に固定されている。溶接固定する溶接部分２７としては、各磁極をなす一対の永久磁石２４の間に挟まれた部分が定められている。ロータコア１１では、そうした溶接部分２７が各磁極に対応して１０箇所設定されている。
【００１８】
図２に示すように、ロータシャフト１２は、周囲全周にわたって円環状で突出するフランジ１３を有している。またロータシャフト１２の外面におけるフランジ１３と間隔を置いた位置には雌ねじ１４が形成されており、同雌ねじ１４にはナット１５が螺合される。ロータシャフト１２にロータコア１１を取り付ける際には、先ず、ロータコア１１の中心孔２１にロータシャフト１２が挿通される。その後、ロータシャフト１２のフランジ１３とナット１５（詳しくは、ワッシャ１６）との間にロータコア１１を挟んだ状態で、ナット１５がロータシャフト１２の雌ねじ１４に螺合される。このようにして、ロータシャフト１２に対してロータコア１１が固定される。
【００１９】
本実施形態のロータコア１１では、積層体２２を構成する電磁鋼板からなる金属板２２Ａとステンレス鋼板からなるエンドプレート２６とが線膨張係数の異なる材料によって構成されるとともに溶接加工によって接合されている。そのため、電動機の運転に伴ってロータコア１１の温度が高くなったときに、積層体２２の熱膨張量とエンドプレート２６の熱膨張量との差に起因して上記溶接部分２７に内部応力が発生してしまい、同溶接部分２７の接合強度の低下を招くおそれがある。
【００２０】
この点をふまえて、本実施形態のロータコア１１では、そうした溶接部分２７における接合強度の低下を抑えるために、各エンドプレート２６に貫通孔３０が設けられている。以下、貫通孔３０について詳細に説明する。
【００２１】
図１、図４および図５に示すように、各エンドプレート２６の外縁には複数（本実施形態では１０個）の貫通孔３０が設けられている。貫通孔３０は、各溶接部分２７の回転軸Ｌ１側にそれぞれ設けられている。詳しくは、各貫通孔３０は、ロータコア１１の径方向において各磁極を構成する一対の永久磁石２４の配置部分と同配置部分の外周側に配置される溶接部分２７との間に挟まれた位置に形成されている。各貫通孔３０の外周側（図５の下方側）の端部は、エンドプレート２６の外周端に沿って延びる円弧状をなしている。また、各貫通孔３０の内周側（図５の上方側）の端部は、一対の永久磁石２４の外面に沿って延びる形状であり、内周側に突出する凸状の曲折形状をなしている。
【００２２】
こうした貫通孔３０を設けることにより、エンドプレート２６の外周端と貫通孔３０の外周側の端部との間に挟まれて帯状をなすブリッジ部３１が上記溶接部分２７に隣り合う隣接部分に形成されている。ブリッジ部３１は、エンドプレート２６の外縁の端部をなす態様で同外縁に沿って円弧状で延びている。ブリッジ部３１は、溶接部分２７に近い部位の幅（図５中に「Ｗ１」で示す）が同溶接部分２７から遠い部位の幅（図５中に「Ｗ２」で示す）よりも広くなっている。
【００２３】
本実施形態のロータコア１１によれば、以下に記載する作用効果が得られるようになる。
（１）本実施形態のロータコア１１では、エンドプレート２６の外縁における溶接部分２７に近い部分に貫通孔３０が形成されている。これにより、エンドプレート２６における溶接部分２７に隣接する隣接部分に、剛性の低い部分である帯状のブリッジ部３１が設けられている。そのため、電動機の運転に伴ってロータコア１１の温度が上昇したときにおいて、積層体２２の熱膨張量とエンドプレート２６の熱膨張量との差によってエンドプレート２６の外周端と積層体２２の外周端とを径方向にずらすように作用する力が発生した場合に、ブリッジ部３１を上記径方向に撓むように変形させることができる。
【００２４】
このようにエンドプレート２６のブリッジ部３１を変形させることによって溶接部分２７に作用する力の一部を逃がすことができるため、貫通孔３０が設けられていないものと比較して、溶接部分２７に作用する力を小さくすることができる。したがって、積層体２２およびエンドプレート２６の溶接部分２７において発生する内部応力を小さくすることができ、それら積層体２２およびエンドプレート２６の接合強度の低下を抑えることができる。
【００２５】
（２）ロータコア１１では、エンドプレート２６における上記溶接部分２７の回転軸Ｌ１側に貫通孔３０が配置されている。これにより、エンドプレート２６における溶接部分２７の周辺の剛性を低くすることができるため、同溶接部分２７の周辺を変形させ易い構造にすることができる。
【００２６】
（３）ロータコア１１では、エンドプレート２６における上記溶接部分２７に隣り合う隣接部分に、変形し易い形状である帯状のブリッジ部３１が形成されている。そのため、このブリッジ部３１を変形させることによって、溶接部分２７に発生する内部応力を小さくすることができる。
【００２７】
（４）ブリッジ部３１は、エンドプレート２６の外縁の端部をなす態様で同外縁に沿って延びており、上記溶接部分２７に近い部位が同溶接部分２７から遠い部位と比較して幅広の形状をなしている。これにより、ブリッジ部３１における溶接部分２７から遠い部位は幅狭にして変形し易くすることができる。そのため、そうした溶接部分２７から遠い部位を変形させることによって、ブリッジ部３１全体の変形量を確保することができる。しかも、ブリッジ部３１における溶接部分２７に近い部位は、幅広にすることによって比較的変形し難くすることができる。これにより、そうした溶接部分２７に近い部位の撓み変形や捩れ変形を抑えることができるため、それら撓み変形や捻れ変形に起因して生じる上記溶接部分２７の内部応力を抑えることができる。したがって、積層体２２およびエンドプレート２６の接合強度の低下を好適に抑えることができる。
【００２８】
なお、上記実施形態は、以下のように変更して実施してもよい。
・積層体２２を構成する金属板２２Ａとして、鉄または鉄合金からなる金属板など、電磁鋼板以外の金属板を採用することができる。また、エンドプレート２６を構成する金属板としては、アルミニウム合金からなる金属板など、ステンレス鋼板以外の金属板を採用してもよい。
【００２９】
・エンドプレート４６における溶接部分２７に近い部分に複数の貫通孔を設けるようにしてもよい。そうしたロータコアの一例を図６に示す。図６に示す例では、前記貫通孔３０（図５参照）の内周側の端部と外縁側の端部との間に、上記溶接部分２７と回転軸Ｌ１とを結ぶ直線上において延びる帯状の補助ブリッジ部４１が架設されている。これにより、貫通孔３０を周方向において並ぶ２つの貫通孔４３，４４に分割する態様で、貫通孔３０の開口が仕切られている。こうした構成によれば、補助ブリッジ部４１を、エンドプレート２６の熱膨張量と金属板２２Ａの熱膨張量の差に起因して生じる力によって変形する変形部分として利用したり、同力によるブリッジ部３１の変形を制限するための補強部分として利用したりすることができる。そのため、エンドプレート２６における溶接部分２７に近い部分の剛性を高い自由度で設定することができる。なお、図６に示す例において、２つの貫通孔４３，４４のうちの一方を省略すること等も可能である。
【００３０】
・ブリッジ部３１における溶接部分２７に近い部位の幅と同溶接部分２７から遠い部位の幅とを同一にするなど、ブリッジ部３１の各部の幅は任意に変更することができる。
・積層体２２とエンドプレート２６との接合強度の低下を抑えるための貫通孔を、エンドプレート２６に設けることに代えて、あるいは加えて、積層体２２を構成する金属板２２Ａのうちのエンドプレート２６に隣接する最外層の金属板２２Ａに設けるようにしてもよい。この場合には、最外層の金属板２２Ａを含む複数枚の金属板２２Ａを貫通するように貫通孔を設けること等も可能である。
【００３１】
上記貫通孔は、積層体２２を構成する金属板２２Ａには設けずに、エンドプレート２６に設けることが好ましい。ここで、積層体２２を構成する金属板２２Ａに貫通孔を設けた場合に同貫通孔の形成位置と永久磁石２４の配設位置とが径方向において重複していると、ロータコア１１の性能低下、ひいては電動機の性能低下を招くおそれがある。この点、上述のように金属板２２Ａおよびエンドプレート２６のうちの同エンドプレート２６のみに貫通孔を設けることにより、貫通孔の形成位置と永久磁石２４の配設位置とが径方向において重複しない構造にすることができる。そのため、積層体２２を構成する金属板２２Ａに貫通孔を設ける場合と比較して、貫通孔を設けることによるロータコア１１の性能低下を抑えることができる。
【００３２】
なお、挿入孔２３の回転軸Ｌ１方向の端部には充填材２５が充填されるのみで永久磁石２４が配置されない構造のロータコア１１においては、同端部に貫通孔を設けることにより、ロータコア１１の性能低下を抑えることができる。
【００３３】
・上記実施形態のロータコアは、磁極数が１０極（極数対が５個）のロータに限らず、任意の磁極数（４極、６極、８極など）のロータに適用することができる。
【符号の説明】
【００３４】
１０…ロータ、１１…ロータコア、１２…ロータシャフト、１３…フランジ、１４…雌ねじ、１５…ナット、１６…ワッシャ、２１…中心孔、２２…積層体、２２Ａ…金属板、２３…挿入孔、２４…永久磁石、２５…充填材、２６…エンドプレート、２７…溶接部分、３０…貫通孔、３１…ブリッジ部、４１…補助ブリッジ部、４３…貫通孔、４４…貫通孔、４６…エンドプレート。
【図１】
2020114039.tif 000003
【図２】
2020114039.tif 000004
【図３】
2020114039.tif 000005
【図４】
2020114039.tif 000006
【図５】
2020114039.tif 000007
【図６】
2020114039.tif 000008